(57)【要約】【課題】樹脂製フイルム袋の資源を再利用し、家庭内で発生するゴミ、特に厨房内で発生する生ゴミの見た目、衛生面、臭気を防ぎ、且つ、手を汚さず、捨て易く、快適なゴミ箱を提供する。【解決手段】開閉の難しい樹脂製フイルム袋の素材特性を装置に開閉機能を付与することにより、開口部の開閉を容易にし、且つ、取手機能を有する装置である。【選択図】図１
2006062806.tif 000002
【特許請求の範囲】
【請求項１】
ゴミ箱として使用される樹脂製フイルム袋開口部分に開閉を可能にする板もしくは棒形状体を設けたことを特徴とするゴミ箱開閉装置。
【請求項２】
樹脂製フイルム袋本体の結び目用部分を固定する溝を有することを特徴とする請求項１記載のゴミ箱開閉装置。
【請求項３】
樹脂製フイルム袋開口部の開閉状態を保持する為の弾性構造を有することを特徴とする請求項１記載のゴミ箱開装置。
【発明の詳細な説明】
【技術分野】
【０００１】
本発明は家庭ゴミのゴミ容器に係り、特にシステムキッチンで使用するに好適な厨房用
ゴミ容器に関するものである。
【背景技術】
【０００２】
樹脂製フイルム袋を再利用する従来のゴミ箱は図１１に示すように開口部が開いたままの状態で吊るして使用されるか、図１２に示すように、ゴミ箱を床置きにして使用するものとがあるが、いずれも開閉蓋が無い。図１３で示すように、実際に厨房で一般的使用されている床置きゴミ箱の殆どのものは蓋付きになっている。
【特許文献１】特開平０９−２９０９０１号公報
【特許文献２】特開２００３−１８２８０１号公報
【特許文献３】特開２００３−２２６４０３号公報
【発明の開示】
【発明が解決しようとする課題】
【０００３】
樹脂製フイルム袋を吊り下げる形状のものは樹脂製フイルム袋の素材特性から開口部の開閉が困難であり、ゴミを投入する際は片方の手で開口部の開口を保持していなければならないことから、特に生ゴミの場合は生ゴミの方に両手が使用できず、神経も樹脂製フイルム袋の開口保持と生ゴミに分散しなければならず、樹脂製フイルム袋の周囲を汚してしまう場合がある。樹脂製フイルム袋開口部を常に開口しておく形状のゴミ箱は開口部から中のゴミが露出する見た目、衛生面、臭気も防止対策がなされていず、出っ張り形状が大きく、キッチン作業に邪魔な為、ほとんどの物がシステムキッチンの内側に設置されており、ゴミ投入の際は扉を開けたままで使用するか、一回々ゴミ投入の都度、扉を開けなければならない面倒がある。床置きタイプの場合は場所をとり狭いキッチン作業の邪魔になり、生ゴミの場合、システムキッチンシンクからの距離が長く、生ゴミからの汁が落ち、床を汚す場合がある。そこで、この発明は、樹脂製フイルム袋を再利用し、場所をとらず、特に生ゴミを捨て易くし、袋の中のゴミが露出する見た目、衛生面、臭気の防止対策を施したゴミ箱開閉装置を提供することを課題とする。
【課題を解決するための手段】
【０００４】
以上の課題を解決するために、第一発明は、ゴミ箱として使用される樹脂製フイルム袋開口部分に開閉を可能にする板もしくは棒形状体を設けたことを特徴とするゴミ箱開閉装置である。第二発明は、樹脂製フイルム袋本体の結び目用部分を固定する溝を有することを特徴とする請求項１記載のゴミ箱開閉装置である。第三発明は樹脂製フイルム袋開口部の開閉状態を保持する為の押え力構造を有することを特徴とする請求項１記載のゴミ箱開装置である。
【発明の効果】
【０００５】
第一発明によれば、樹脂製フイルム袋開口部の開閉を可能にし、樹脂製フイルム袋の閉口時は開口部からゴミが見えず、見た目に良く、ハエなどの侵入を防ぎ、衛生的にも良く、臭気も防ぐ効果があり、開閉装置は樹脂製フイルム袋の再利用を可能にし、システムキッチンの外側に取り付けを可能にした。第二発明によれば、特に生ゴミを捨てる際に樹脂製フイルム袋の結び目用部分によるゴミ投入の邪魔を防ぎ、全面板に施された溝に差し込まれた樹脂製フイルム袋結び目用部分は開閉時の取手機能になり、樹脂製フイルム袋開口部の開閉を容易にし、ゴミ箱開閉装置生産時には取手機能として単純な構造であり、生産コストを安価に抑える効果がある。第三発明によれば、特に生ゴミを捨てる際、樹脂製フイルム袋の開口部を大きく保持することが出来、ゴミ投入をし易くし、生ゴミに両手が使用でき、生ゴミに神経が集中することが出来、生ゴミから出る汁が垂れこぼれるのことが防げ、開口部外側への汚れを防ぐ効果がある。又、閉口時には開閉部分の閉口状態を保つことにより、見た目、衛生面、臭気を防ぐ効果がある。第一、第二、第三発明により、シンプル、コンパクトな形状をなし、キッチン作業時に邪魔にならず、キッチンキャビネットの外側に設置を可能にし、設置場所もキッチンシンクに近接することを可能にすることにより、より使い易く、ゴミ投入の際の生ゴミからの汁汚れ防止効果をなし、ゴミ箱開閉装置の廉価生産コストを可能にする。
【発明を実施するための最良の形態】
【０００６】
この発明の一実施形態を図面に基づいて詳細に説明する。図１は本発明に係るゴミ箱開閉装置の形態を示す斜視図、図２はゴミ箱開閉装置に樹脂製フイルム袋を装着した時の実施の形態を示す斜視図、図３は本発明に係るゴミ箱開閉装置の実施の形態を示す正側面図、図４は側面図、図５は立面図である。図６〜８は本発明に係るゴミ箱開閉装置形態の一実施例、立面図である。図９、１０は本発明に係るゴミ箱開閉装置樹脂製フイルム袋の吊り下げ一実施例である。図１１〜１３は背景技術の実施例である。
【０００７】
図１に示すゴミ箱開閉装置１は図４側面図にあるシステムキッチンキャビネット扉１２の外側に係止目部１３などにより設置され使用される。
【０００８】
図３を除く図１〜１０の記号（Ａ）は図１のゴミ箱開閉装置１の閉口図を示し、記号（Ｂ）は開口図を示す。
【０００９】
図１〜８に示すゴミ箱開閉装置１はプラスチック素材で形成されており、図９，１０に示すゴミ箱開閉装置１は太め目の針金素材で形成されており、素材選択の組み合わせは可能である。開閉部分３の開閉及び保持機能はプラスチック素材特性の粘り、弾性を応用した機構で作動する。兆番機能７，８と柔軟性のある弾性部分２によりゴミ箱開閉装置１の開閉保持を可能にしている。開閉部分３は両側兆番７を機軸に中央兆番８により構成されており、いずれもプラスチック素材特性の粘り、弾性を応用した機構で開閉、保持は作動される。
【００１０】
図２樹脂製フイルム袋９本体の吊るす部分１０が係止目部４Ａ、４Ｂに吊るされ使用される。係止目部４Ａは小サイズの樹脂製フイルム袋９の吊りし部１０が吊るされるものであり、係止目部４Ｂは大サイズ樹脂製フイルム袋９が吊るされ使用され、サイズ違いの樹脂製フイルム袋に対応している。
【００１１】
図１の溝５、６に図２樹脂製フイルム袋９の開口部結び用部分１１Ａ，１１Ｂが各々差込まれることにより、樹脂製フイルム袋本体の開口部が固定される、開閉部分３の開閉に追随して樹脂製フイルム袋９の開口部が開閉する。又、開閉部分３の溝６から前面に出た樹脂製フイルム袋結び用部分１１Ａはゴミ箱開閉装置１の開閉を容易にする図２取っ手１１Ａとして利用される。
【００１２】
図５立面図はゴミ箱開閉装置形態の一例を示しており、図５立面図ゴミ箱開閉装置１の閉口時（Ａ）、開口時（Ｂ）は両側兆番８と兆番９が前後に移動することにより樹脂製フイルム袋開口部は開閉部分３に押えられ閉口され、開閉部分３が前面に移動されることにより開口される。
【００１３】
図５立面図の弾性部分２の構造力学により、開閉部分３の開閉、保持がなされ、弾性部分２はプラスチック素材の樹脂が保有する粘り、弾性を応用した設計で成り立っている。
【００１４】
「実施形態の効果」
この実施形態によれば、閉口時は見た目に良く、ハエなどの侵入を防ぎ、衛生的にも良く、臭気も防ぎ、出っ張りも無く、シンクに近い位置で使用できるゴミ箱が提供でき、樹脂素材特性から開閉、形態保持がしずらい樹脂製フイルム袋の再利用を可能にし、開口時は樹脂製フイルム袋の開口を大きく保持し、片手で樹脂製フイルム袋の開口部分を押えておく必要がなく、生ゴミに両手が使用でき、生ゴミに神経が集中できることから生ゴミから出る汁の垂れこぼし、開口部外側への滴りからの汚れを防ぐことなどの効果がある。又、この実施形態ゴミ箱はシンプルでコンパクトであり、廉価な生産コストを可能にする。
【００１５】
図１１，１２，１３はいずれも本発明に係る背景技術を示している。図１１は樹脂製フイルム袋を再利用し、システムキッチンチャビネット内部の掛けて使用する蓋のないゴミ箱の図を示す。図１２は樹脂製フイルム袋を再利用し、床に置いて使用するゴミ箱の図を示す。図１３は厨房で使用する蓋付きの床置きゴミ箱の図を示す。
【００１６】
「他の実施形態」
図６立面図はゴミ箱開閉装置形態の一例を示しており、基本構成は図５と同じであるが、兆番８を複数設けることにより、樹脂製フイルム袋開口部の開口を容易にし、開閉部分３の樹脂製フイルム袋開口部への押え箇所を複数にすることにより、閉口時（Ａ）の密封性をより高め、開口時（Ｂ）の開口面積を広げる。
【００１７】
図７立面図はゴミ箱開閉装置形態の一例を示しており、使用素材プラスチックの粘り、弾性特性をより生かしたもので、開閉部分３と反発力部２の力学構成で作動は成り立っており、兆番９を設けずに、開閉部分３の樹脂フイルム袋開口部への押え面積を大きく取ることにより閉口時（Ａ）の密封性をより高める。
【００１８】
図８立面図はゴミ箱開閉装置形態の一例を示しており、穴１６に開閉部分３の両端を通し、穴１６を挟んで開閉部分３の両側にストッパー１４，１５を設けている。この構造は開口時（Ｂ）の開口面積をより広げ、開閉部分３の面積を多く取ることが目的であり、ストッパー１４は開閉部分３の広がりすぎを防ぎ、開閉部分３の脱落を防ぐ役目をなし、ストッパー１５は閉口時（Ａ）の密封性をより高め、開閉部分３の閉口状態保持をする役割をしている。
【００１９】
図９，１０は開閉装置１の使用素材に太め目の針金を使用しており、図９は閉口時（Ａ）の斜視図を示しており、図１０は樹脂製フイルム袋９を装着した開口時（Ｂ）の斜視図を示している。開閉部分３はプラスチック素材を使用しており、開閉部分３の開閉及び保持機能はプラスチック素材特性の粘り、弾性を応用した機構で作動する。係止目部４Ａは小サイズの樹脂製フイルム袋９の吊りし部１０が吊るされ、係止目部４Ｂは大サイズ樹脂製フイルム袋９の吊りし部１０が吊るされ、サイズ違いの樹脂製フイルム袋の係止目部として対応している。図２に示すように、係止目部４Ａ、４Ｂは樹脂製フイルム袋９本体より上部に位置するが、図９，１０に示すように、係止目部４Ａ、４Ｂは樹脂製フイルム袋９本体より下部に位置している。
【００２０】
図６〜８はゴミ箱開閉装置形態の各一例を示しているが、樹脂特性の粘り、弾性を応用した力学的基本構成は図５と同じであり、形態の多少の違いはどちらでも良い。又、樹脂特性の粘り、弾性の応用だけだ無く、バネ、スプリング、構造設計との組み合わせにより、開閉保持の更なる効果を得ることも可能である。
【００２１】
図２に示すように、係止目部４Ａ、４Ｂは樹脂製ショッピング袋９本体より上部に位置するが、図９，１０に示すように、係止目部４Ａ、４Ｂは樹脂製フイルム袋９本体より下部に位置しても良い。
【００２２】
ゴミ箱開閉装置本体１を縦壁面に接着する方法は釘付け、接着剤による接着、フックなどの方法も可能である。
【００２３】
開閉部分３に開閉の為の取手を設けることも可能である。
【図面の簡単な説明】
【００２４】
【図１】は本発明に係るゴミ箱開閉装置の形態を示す斜視図。
【図２】は図１のゴミ箱開閉装置にショッピングバッグを装着した時の実施の形態を示す斜視図。
【図３】は本発明に係るの実施の形態を示す正側面図
【図４】は本発明に係るの実施の形態を示す側面図
【図５】は本発明に係るの実施の形態を示す立面図
【図６】は本発明に係るの実施の開閉形態を示す各種形態例の立面図。
【図７】は本発明に係るの実施の開閉形態を示す各種形態例の立面図。
【図８】は本発明に係るの実施の開閉形態を示す各種形態例の立面図。
【図９】はゴミ箱開閉装置に樹脂製ショッピング袋を装着した時の実施の形態を示す斜視図。
【図１０】は本発明に係るゴミ箱開閉装置の形態を示す斜視図。
【図１１】は本発明に係る背景技術のゴミ箱開閉装置形態を示す斜視図。
【図１２】は本発明に係る背景技術のゴミ箱開閉装置形態を示す斜視図。
【図１３】は本発明に係る背景技術のゴミ箱開閉装置形態を示す斜視図。
【符号の説明】
【００２５】
１ゴミ箱開閉装置本体
２弾性部分
３開閉部分
４Ａ係止目部
４Ｂ係止目部
５溝
６溝
７兆番
８兆番
９樹脂製フイルム袋
１０樹脂製フイルム袋の吊るす部分
１１Ａ取っ手（樹脂製ショッピング袋結び用部分）
１１Ａ樹脂製ショッピング袋固定部分（樹脂製ショッピング袋結び用部分）
１２システムキッチンキャビネット扉
１３係止目部
１４ストッパー
１５ストッパー
１６穴
（Ａ）ゴミ箱開閉装置の閉口時図
（Ｂ）ゴミ箱開閉装置の開口時図
【図１】
2006062806.tif 000003
【図２】
2006062806.tif 000004
【図３】
2006062806.tif 000005
【図４】
2006062806.tif 000006
【図５】
2006062806.tif 000007
【図６】
2006062806.tif 000008
【図７】
2006062806.tif 000009
【図８】
2006062806.tif 000010
【図９】
2006062806.tif 000011
【図１０】
2006062806.tif 000012
【図１１】
2006062806.tif 000013
【図１２】
2006062806.tif 000014
【図１３】
2006062806.tif 000015